(57)【要約】      （修正有）【課題】出し入れ口は、四角形状を維持できる構造とし、かつ保持部は柔軟な袋状にすることにより、出し入れが便利な小銭入れを提供する。【解決手段】２本の縦棒１と３本以上の横棒２とを、横棒が３本の場合は、漢字の日の字に、横棒が４本の場合は、漢字の目の字に、横棒の本数が漢字の横線の数になる様に構成する。さらに、横棒の中央を横棒同士が折り重なる方向に屈曲可能あるいは、横棒の中央を中心に横棒同士が折り重なる方向に回転可能にすることにより、開いたり閉じたりできる様にして、前記縦棒と横棒とで構成された各枠に袋３を接合したことを特徴として、複数の室よりなる仕切り付き小銭入れを形成する。【選択図】図１
0003172942.tif 000002
【実用新案登録請求の範囲】
【請求項１】
２本の縦棒と３本以上の横棒とを、本棚を正面から見た様に構成し、横棒の中央を中心に屈曲可能あるいは、回転可能にすることにより、開いたり閉じたりできる様にして、前記縦棒と横棒とで構成された各枠に袋を接合したことを特徴とする、複数の室よりなる
仕切り付き小銭入れ。
【請求項２】
請求項１の縦棒と横棒とで構成された各枠につける袋を、片側の縦棒から、横棒の中心近くまでとし、残りは平らにしたものを、接合したことを特徴とする。
複数の室よりなる仕切り付き小銭入れ。
【考案の詳細な説明】
【技術分野】
【０００１】  この考案は、硬貨を入れる小銭入れに関するものである。
【背景技術】
【０００２】  硬貨は６種類あり、１つの室に混入されていると見分けにくく、取出すのも不便なため、複数の室に仕切られた小銭入れが提案されている。
剛性のある板で仕切ったものと、柔軟な布の類で仕切ったものとがある。
（特許文献参照）
【先行技術文献】
【０００３】
【特許文献１】  実開平６−３４５０９号広報
【考案の概要】
【考案が解決しようとする課題】
【０００４】しかしながら、剛性のものは保持する硬貨が少なくても、常に最大数を保持できる大きさなので、持ち運びに不便であり、また、柔軟なものは、仕切りの口がしっかりしていないので、出し入れが不便であるという欠点があった。
【課題を解決するための手段】
【０００５】本考案は、出し入れ口は、四角形状を維持できる構造とし、かつ保持部は柔軟な袋状にすることにより、上記課題を解決したものである。
【考案の効果】
【０００６】複数に仕切られた室に、各種の硬貨を分けて入れることができるので、各硬貨を見て数えるのが容易であることに加えて、出し入れ口は、しっかり四角形状を保つので、出し入れが容易であり、保管部は袋なので、硬貨が少ないときは袋は、見合った大きさになるので、扱いやすい。
【図面の簡単な説明】
【０００７】
【図１】小銭入れの斜視図である。
【図２】袋を片側半分とした図である。
【図３】縦棒と袋の断面図であり、（ａ）は閉じた状態を示し、（ｂ）は開いた状態を示す。
【図４】横棒と袋の断面図であり、（ａ）は各袋が分かれているもの、（ｂ）は１枚で仕切ったものである。
【図５】袋を半分とした場合、（ａ）は横棒２に、補強棒５を入れたもので、（ｂ）は、半分を板６にした図である。
【図６】構棒中央に屈曲板を設けた断面図である。
【図７】構棒の中央をヒンジ構造とした図であり、（ａ）は全体の断面図で（ｂ）はヒンジ部の断面図である。
【図８】各種止め具の実施例の図である。
【図９】（ａ）は札を半分に折って、（ｂ）は折らないで入れる札入れと小銭入れを一体化した一例である。
【考案を実施するための形態】
【０００８】以下本考案の小銭入れについて、図面を参照して説明する。
図１に示すのは、プラスチックのポリプロピレンなどの弾性材料やウレタンゴムなどの変形させても元に戻って、形状を保てる材料で製作したものである。
２本の縦棒と４本の横棒で、｀目´の字の枠組みにして、横棒の中央を薄くして縦棒と横棒とで構成された各枠に袋を接合する。
【０００９】図２は、袋を片側半分近くまでとし、半分は平らにしたものである。大きくなる欠点があるが、袋の底は曲がることが無いので、取り出しやすい。
【００１０】図３（ｂ）に示す様に、口を大きく開くと、横棒２がしっかりしているので、３つの出し入れ口は、四角形を保つから、硬貨を出し入れしやすい。
【００１１】図３（ａ）に示す様に、閉じた時は、硬貨は袋の中に保持されているので、袋は硬貨の量に見合った大きさになり扱いやすい。
【００１２】図４（ａ）は、図１の横棒２と袋３の断面図で各袋は分かれている。図は接着剤による接合であるが、縫合等でもよい。
【実施例１】
【００１３】図４（ｂ）は袋と袋の間を１枚としたもので、接合は一例として、薄い金属板４ではさんである。
【実施例２】
【００１４】図５は、図２の袋を片側半分とした場合に、（ａ）は横棒２に補強棒５をつけて剛性を上げ、（ｂ）は袋のない側を板６として、簡素にしたものである。
【実施例３】
【００１５】図６に示すのは、横棒２の中央で切り離し屈曲板７をビス８で固定して、横棒中央で屈曲可能として、開閉するものである。屈曲板７は接着、融着などでも接合できる。
【実施例４】
【００１６】図７に示すのは、横棒２の中央で切り離し、先端に穴を設けて、ピン９を通しヒンジ構造として、回動させ開閉するものである。
【実施例５】
【００１７】図８に止め具の実施例を示す。
（ａ）は、止め具１０を、縦棒１の片側と一体成形しやものである。
（ｂ）は、球金具１１を、縦棒１に溶接したものである。
（ｃ）は縦棒１にマジックテープ１２を接合したものである。
マジックテープは、鉄板とマグネットの組み合わせに置き換えられる。
【実施例６】
【００１８】図９に、札入れと小銭入れを一体化した例を示す。
（ａ）は、札を半折りにして入れる札入れとの一体化の例で、（ｂ）は折らないで入れる札入れとの一体化の例である。
【符号の説明】
【００１９】１  縦棒、２  横棒、３  袋、４  薄い金属板、５  補強棒、６  板、７  屈曲板、
８  ビス、９  ピン、１０  止め具、１１  球金具、１２  マジックテープ
【図１】
0003172942.tif 000003
【図２】
0003172942.tif 000004
【図３】
0003172942.tif 000005
【図４】
0003172942.tif 000006
【図５】
0003172942.tif 000007
【図６】
0003172942.tif 000008
【図７】
0003172942.tif 000009
【図８】
0003172942.tif 000010
【図９】
0003172942.tif 000011
【手続補正書】
【提出日】平成23年10月17日(2011.10.17)
【手続補正１】
【補正対象書類名】明細書
【補正対象項目名】全文
【補正方法】変更
【補正の内容】
【考案の詳細な説明】
【技術分野】
【０００１】  この考案は、硬貨を入れる小銭入れに関するものである。
【背景技術】
【０００２】  硬貨は６種類あり、１つの室に混入されていると見分けにくく、取出すのも不便なため、複数の室に仕切られた小銭入れが提案されている。
剛性のある板で仕切ったものと、柔軟な布の類で仕切ったものとがある。
（特許文献参照）
【先行技術文献】
【０００３】
【特許文献１】  実開平６−３４５０９号広報
【考案の概要】
【考案が解決しようとする課題】
【０００４】しかしながら、剛性のものは保持する硬貨が少なくても、常に最大数を保持できる大きさなので、持ち運びに不便であり、また、柔軟なものは、仕切りの口がしっかりしていないので、出し入れが不便であるという欠点があった。
【課題を解決するための手段】
【０００５】本考案は、出し入れ口は、四角形状を維持できる構造とし、かつ保持部は柔軟な袋状にすることにより、上記課題を解決したものである。
【考案の効果】
【０００６】複数に仕切られた室に、各種の硬貨を分けて入れることができるので、各硬貨を見て数えるのが容易であることに加えて、出し入れ口は、しっかり四角形状を保つので、出し入れが容易であり、保管部は袋なので、硬貨が少ないときは袋は、見合った大きさになるので、扱いやすい。
【図面の簡単な説明】
【０００７】
【図１】  小銭入れの斜視図である。
【図２】  袋を片側半分とした図である。
【図３】  縦棒と袋の断面図であり、（ａ）は閉じた状態を示し、（ｂ）は開いた状態を示す。
【図４】  横棒と袋の断面図であり、（ａ）は各袋が分かれているもの、（ｂ）は１枚で仕切ったものである。
【図５】  袋を半分とした場合、（ａ）は横棒２に、補強棒５を入れたもので、（ｂ）は、半分を板６にした図である。
【図６】  構棒中央に屈曲板を設けた断面図である。
【図７】  構棒の中央をヒンジ構造とした図であり、（ａ）は全体の断面図で（ｂ）はヒンジ部の断面図である。
【図８】  各種止め具の実施例の図である。
【図９】  （ａ）は札を半分に折って、（ｂ）は折らないで入れる札入れと小銭入れを一体化した一例である。
【考案を実施するための形態】
【０００８】以下本考案の小銭入れについて、図面を参照して説明する。
図１に示すのは、プラスチックのポリプロピレンなどの弾性材料やウレタンゴムなどの変形させても元に戻って、形状を保てる材料で製作したものである。
２本の縦棒と４本の横棒で、｀目´の字の枠組みにして、横棒の中央を薄くして縦棒と横棒とで構成された各枠に袋を接合する。
【０００９】図２は、袋を片側半分近くまでとし、半分は平らにしたものである。大きくなる欠点があるが、袋の底は曲がることが無いので、取り出しやすい。
【００１０】図３（ｂ）に示す様に、口を大きく開くと、横棒２がしっかりしているので、３つの出し入れ口は、四角形を保つから、硬貨を出し入れしやすい。
【００１１】図３（ａ）に示す様に、閉じた時は、硬貨は袋の中に保持されているので、袋は硬貨の量に見合った大きさになり扱いやすい。
【００１２】図４（ａ）は、図１の横棒２と袋３の断面図で各袋は分かれている。図は接着剤による接合であるが、縫合等でもよい。
【実施例１】
【００１３】図４（ｂ）は袋と袋の間を１枚としたもので、接合は一例として、薄い金属板４ではさんである。
【実施例２】
【００１４】図５は、図２の袋を片側半分とした場合に、（ａ）は横棒２に補強棒５をつけて剛性を上げ、（ｂ）は袋のない側を板６として、簡素にしたものである。
【実施例３】
【００１５】図６に示すのは、横棒２の中央で切り離し屈曲板７をビス８で固定して、横棒中央で屈曲可能として、開閉するものである。屈曲板７は接着、融着などでも接合できる。
【実施例４】
【００１６】図７に示すのは、横棒２の中央で切り離し、先端に穴を設けて、ピン９を通しヒンジ構造として、回動させ開閉するものである。
【実施例５】
【００１７】図８に止め具の実施例を示す。
（ａ）は、止め具１０を、縦棒１の片側と一体成形したものである。
（ｂ）は、球金具１１を、縦棒１に溶接したものである。
（ｃ）は縦棒１にマジックテープ（登録商標）１２を接合したものである。
マジックテープは、鉄板とマグネットの組み合わせに置き換えられる。
【実施例６】
【００１８】図９に、札入れと小銭入れを一体化した例を示す。
（ａ）は、札を半折りにして入れる札入れとの一体化の例で、（ｂ）は折らないで入れる札入れとの一体化の例である。
【符号の説明】
【００１９】１  縦棒、２  横棒、３  袋、４  薄い金属板、５  補強棒、６  板、７  屈曲板、８  ビス、９  ピン、１０  止め具、１１  球金具、１２  マジックテープ
【手続補正２】
【補正対象書類名】実用新案登録請求の範囲
【補正対象項目名】全文
【補正方法】変更
【補正の内容】
【実用新案登録請求の範囲】
【請求項１】
２本の縦棒と３本以上の横棒とを、横棒が３本の場合は、漢字の日の字に、横棒が４本の場合は、漢字の目の字に、横棒の本数が漢字の横線の数になる様に構成し、横棒の中央を横棒同士が折り重なる方向に屈曲可能あるいは、横棒の中央を中心に横棒同士が折り重なる方向に回転可能にすることにより、開いたり閉じたりできる様にして、前記縦棒と横棒とで構成された各枠に袋を接合したことを特徴とする、複数の室よりなる仕切り付き小銭入れ。
【請求項２】
請求項１の縦棒と横棒とで構成された各枠につける袋を、片側の縦棒から、横棒の中心近くまでとし、残りは平らにしたものを、接合したことを特徴とする請求項１に記載の仕切り付き小銭入れ。